(57)【要約】      （修正有）【課題】縁起の良い言葉や祝福のメッセージを添える祝儀袋を提供する。【解決手段】贈り主から受取人に伝える情報１２が表示された情報表示部１１を有し、この情報表示部１１の裏側面が袋本体に接着される第１シール１０と、情報表示部１１を覆い、第１シール１０と剥離可能に接着される第２シール２０を備えた祝儀袋である。第２シール２０の各隅角部の一部には切込線２１が施されている。第２シール２０の表側面には、第２シール２０を剥離することを促すメッセージ２２が記載されている。【選択図】図１
0003225796.tif 000002
【実用新案登録請求の範囲】
【請求項１】
袋本体と、
贈り主から受取人に伝える情報が表示された情報表示部を有し、この情報表示部の裏側面が前記袋本体に接着される第１シールと、
前記情報表示部を覆い、前記第１シールと剥離可能に接着される第２シールと、
を備えたことを特徴とする祝儀袋。
【請求項２】
前記第２シールの各隅角部の一部に切込線を施したことを特徴とする請求項１に記載の祝儀袋。
【請求項３】
前記第２シールの表側面に、前記第２シールを剥離することを促すメッセージが記載されていることを特徴とする請求項１又は２に記載の祝儀袋。
【考案の詳細な説明】
【技術分野】
【０００１】
本考案は、祝儀袋に関するものである。
【０００２】
本考案における「祝儀袋」は、祝い事に贈る金銭や心づけなどを入れる袋全般を言い、一般に、ポチ袋、お年玉袋、熨斗袋、水引金封、慶弔用袋などと称されている袋類もすべて含むものである。
【背景技術】
【０００３】
祝儀袋には、袋本体に「お年玉」、「御祝い」、「寿」等の定型的な文字が印刷されているものや、これらの文字が印刷されたシールを用いるものがある。
【０００４】
後者の一例として、複数の「文字シール」と「熨斗シール」を準備し、これらを任意に組み合わせて袋本体に貼着することで多数の種類の祝儀袋を容易に制作可能とし、コストダウンを図ることができる祝儀袋が提案されている（特許文献１）。
【０００５】
ところで、特許文献１に代表される従来の祝儀袋は、もっぱら祝い事に贈る金銭を封入する目的でのみ使用されるものである。そのため、贈り主が受取人に対して何らかのメッセージを伝えたい場合は、祝儀袋とは別の手段を講じる必要がある。
【０００６】
しかし、年の初めに遊び心で縁起の良い言葉を添えたいような場合や、お祝いの気持ちを短い言葉で伝えたい場合、手紙に書くのは仰々しくて不向きである。
【０００７】
そこで、祝儀袋に直接メッセージを書けるようにすることが提案されている（特許文献２）。しかし、贈り主は、祝儀袋を選ぶときに体裁も重視するものであり、自筆のメッセージが外部から見えて見栄えが悪くなる方法は贈り主から敬遠される。
【０００８】
また、受取人としても、祝儀袋を受け取ったときに最初から贈り主の言葉が見えているのでは、わくわくする感じやサプライズ感が得られない。
【先行技術文献】
【特許文献】
【０００９】
【特許文献１】実用新案登録第３０５５７１２号公報
【特許文献２】実開昭６２−１８２２３１号公報
【考案の概要】
【考案が解決しようとする課題】
【００１０】
本考案が解決しようとする課題は、従来の祝儀袋は、縁起の良い言葉やお祝いのメッセージ等を添えたい場合に、適切な方法がなかった点である。
【課題を解決するための手段】
【００１１】
本考案は、
袋本体と、
贈り主から受取人に伝える情報が表示された情報表示部を有し、この情報表示部の裏側面が前記袋本体に接着される第１シールと、
前記情報表示部を覆い、前記第１シールと剥離可能に接着される第２シールと、
を備えたことを最も主要な特徴点としている。
【考案の効果】
【００１２】
本考案によれば、第１シールの片側の面に設けた情報表示部は、剥離可能な第２シールによって覆われた状態となる。そのため、祝儀袋を手渡す前の段階では、贈り主が添えた言葉やメッセージが外部から見えることはなく、祝儀袋の見栄えを損なうこともない。
【００１３】
また、本考案では、第２シールを剥がす操作を行う間、受取人には、第２シールの下には何が書かれているのだろうかと期待したり、贈り主の顔を思い浮かべたりする若干の時間が与えられる。そのため、剥離操作の後、贈り主が添えた言葉やメッセージを目にしたときの感動が高まる。
【００１４】
また、第１シールと第２シールを主要な構成とする本考案を利用すれば、祝儀袋に対して、例えば、おみくじの機能を付加することや、占いの機能を付与することが、容易に行える。
【図面の簡単な説明】
【００１５】
【図１】本考案をポチ袋として実施する一例であり、（ａ）は第２シールの構成を示す図、（ｂ）は切込線と剥離を促すメッセージが記載された部分の拡大図、（ｃ）は第１シールの構成を示す図である。
【図２】（ａ）は定型文字が印刷されていない袋本体を示す図、（ｂ）は第２シールを剥離する前の本考案の祝儀袋を示す図、（ｃ）は第２シールを剥離し第１シールの情報表示部が表れた本考案の祝儀袋を示す図である。
【図３】本考案をポチ袋として実施する他の例であり、（ａ）は第２シールの構成を示す図、（ｂ）は切込線と剥離を促すメッセージが記載された部分の拡大図、（ｃ）は第１シールの構成を示す図である。
【図４】（ａ）は定型文字が印刷されている袋本体を示す図、（ｂ）は第２シールを剥離する前の本考案の祝儀袋を示す図、（ｃ）は第２シールを剥離し第１シールの情報表示部が表れた本考案の祝儀袋を示す図である。
【図５】本考案をお祝い袋として実施する一例であり、（ａ）は第２シールの構成を示す図、（ｂ）は第１シールの構成を示す図である。
【図６】（ａ）は水引を備えた袋本体を示す図、（ｂ）は第２シールを剥離する前の本考案の祝儀袋を示す図、（ｃ）は第２シールを剥離し第１シールの情報表示部が表れた本考案の祝儀袋を示す図である。
【図７】（ａ）は第２シールに切込線のみ設け、剥離を促すメッセージは設けない実施例の図、（ｂ）は何れも設けない実施例の図である。
【考案を実施するための最良の形態】
【００１６】
以下、本考案の祝儀袋の実施例を図１〜図７を用いて説明する。
【実施例】
【００１７】
図１及び図２において、１は、お年玉を入れるポチ袋として構成された第１実施例の祝儀袋である。１０は第１シールであり、その表面に情報表示部１１が設けられており、情報表示部１１には、贈り主から受取人に伝える情報１２が表示されている。第１実施例では、図１（ｃ）に示すように、情報１２として、良い運勢であることを示す「大吉」の文字や、贈り主（大人）から受取人（子供）に伝えたいメッセージである「友達がいっぱいできるよ」の文字が表示されている。
【００１８】
２０は、情報表示部１１の表面を覆い、第１シール１０と剥離可能に接着される第２シールである。第１実施例では、図１（ａ）に示すように、第２シール２０の表面には、祝儀袋において定型的な表示となる「おとしだま」の文字のほか、第１シール１０及び第２シール２０の目的を示す「おみくじ」の文字が表示されている。
【００１９】
つまり、第１実施例では、第１シール１０の上に第２シール２０を剥離可能に重ね合せた二重構造のシールを袋本体２に貼着するだけで、容易におみくじの機能を付加した祝儀袋１を提供できる。受取人（子供）は、お年玉をもらった喜びに加え、おみくじの内容を予想して楽しむことができ、第２シール２０を剥がしておみくじの結果と共に贈り主（大人）からのメッセージを確認すると、さらに嬉しい気持となる。
【００２０】
第２シール２０の裏面は、第１シール１０と第２シール２０が容易に剥がせるように、接着力が弱く接着後に剥離可能な接着剤（例えば感圧性接着剤）が塗布されている。この面と貼り合される第１シール１０の表面は、剥離が容易に行えるように剥離フィルム等を用いて滑らかな面とされている。一方、第１シール１０の裏面は、接着力が強い硬化型の接着剤が塗布されており、袋本体２の所要位置に固定的に接着される。
【００２１】
図１（ｂ）に示すように、第２シール２０の四隅のうちの１つの角部には切込線２１が施されている。このようにすることで、受取人が第２シール２０を剥がす際は、角部を指で押さえて袋本体２を反らすようにすれば良く、剥離操作を容易に行えるようになる。
【００２２】
なお、一般に右利きの人が多いことや、剥離操作における手の動きは通常下から上向きになされることを考慮して、第１実施例では、図１の紙面において左下の隅の角部に切込線２１を設けている。
【００２３】
また、第２シールの表面には、第２シール２０を剥離することを促すメッセージ２２が記載されている。本考案は、受取人に第２シール２０を剥がしてもらうことでその効果が発揮されるが、万一、受取人が第２シール２０は剥がせるものであることに気付かない場合、贈り主が届けたかった言葉やメッセージが伝わらないままとなってしまう。そこで、本考案では、例えば切込線２１の近傍に、受取人に対して第２シールを剥離することを促すメッセージ２２を記載することが好ましい。第１実施例では「めくってね」の文字部分がこれに相当する。
【００２４】
本考案は上記の例に限らず、各請求項に記載された技術的思想の範疇であれば、適宜実施の形態を変更しても良いことは言うまでもない。
【００２５】
例えば、第１実施例では、第１シール１０と第２シール２０の組み合わせにより祝儀袋１におみくじの機能を付加する例を開示したが、本考案の実施形態はこれに限らない。例えば、第２シール２０の表面には「今年の運勢」と表示し、第１シール１０の情報表示部１１には「今年のラッキーアイテムは風船。５月から６月ころに素敵な出会いがあるよ」といったメッセージを表示することで、祝儀袋１に占いの機能を付加しても良い。
【００２６】
また、第１実施例では、第１シール１０の情報表示部１１に文字を表示する例を示したが、情報表示部１１に表示する情報１２の形態は文字に限らない。贈り主から受取人に伝える情報は、漢字、平仮名、片仮名、アルファベット文字等で構成されたもの以外に、例えば、記号等の組み合わせからなる絵文字、写真等の画像、キャラクター等の絵図で表現されたものでも良く、情報１２の形態は問わない。
【００２７】
また、第１実施例では、第２シール２０の表面に、祝儀袋において定型的に使用される「おとしだま」等の文字も表示されている例を示したが、第２シール２０の表面の内容は任意である。例えば、図３及び図４に示す第２実施例の祝儀袋１ａのように、第２シール２０ａの表面には、第１シール１０ａ及び第２シール２０ａの目的を示す「おみくじ」等の必要最小限の文字のみを表示しても良いし、「めくってね」等の剥離を促すメッセージ２２ａのみを表示しても良い。第２実施例は、図４（ａ）に示すように、「おとしだま」等の定型的な文字は袋本体２ａの方に印字されている場合の適用例であり、既存の祝儀袋との組み合わせが容易となる。
【００２８】
また、上述の実施例では、本考案をポチ袋に適用する例を示したが、本考案は祝儀袋全般に適用できるものである。例えば、図５及び図６に示す第３実施例は、水引付きのお祝い袋への適用例である。第１及び第２実施例との違いは、第１シール１０ｂ及び第２シール２０ｂを接着する箇所を袋本体２ｂの裏側とした点、第１シール１０ｂの情報表示部１１ｂには贈り主からのお祝いのメッセージが表示されている点である。この場合、第２シール２０ｂの表面に表示している例えば「じいじからのメッセージがあるよ」の文字が、剥離を促すメッセージ２２ｂとなる。
【００２９】
第３実施例において、情報表示部１１ｂに表示する情報１２ｂの内容は、祝儀袋１ｂを製造するメーカーが幾通りかのパターンをあらかじめ準備して印刷したものであっても良いし、贈り主が手書きできるように構成したものでも良い。
【００３０】
前者の場合、メーカーは、入学、就職など代表的な慶事において贈り主と受取人の組み合わせも様々あることを踏まえ、例えば１０〜２０とおりくらいのメッセージのパターンを製作することが想定される。そのため、パターンごとに第２シール２０ｂの表面の色彩又は模様を変えて、ユーザーが文面のパターンの違いを視覚的に容易に識別できるようにすることが好ましい。
【００３１】
後者の場合、贈り主が情報表示部１１ｂメッセージを手書きした後、第２シール２０ｂを再接着する。そのため、第１シール１０ｂと第２シール２０ｂの間の接着は、再接着と再剥離が繰り返し可能な接着剤を用いることが好ましい。また、第１シール１０ｂの表面は、ユーザーが使用する油性ペン等のインクが定着しやすく筆記に適した材質を用いることが好ましい。
【００３２】
また、第１シール１０，１０ａ，１０ｂ及び第２シール２０，２０ａ，２０ｂの形状はこれらの実施例に示したものに限らない。各実施例で示した角が丸みを帯びた概略長方形のもの以外に、例えば、長円形、楕円形、三角形、台形などでも良いし、熨斗を象ったものでも良い。
【００３３】
また、本考案において第１シールと第２シールは、例えば、紙、樹脂など所望の素材を用いることが可能で、その材質は限定されない。第２シールは、剥離後の再接着も可能な素材を選択しても良いし、繰り返し遊べるようにする必要がなければスクラッチ式のシールで製作しても良い。
【００３４】
また、切込線２１，２１ａ，２１ｂや剥離を促すメッセージ２２，２２ａ，２２ｂは、本考案において必須の構成ではなく、これらを設ける場合についてもその位置、数、内容は実施例で示したものに限らない。例えば、図７（ａ）に示すように切込線２１のみを設け、剥離を促すメッセージはない構成や、図７（ｂ）に示すように、何れも無い構成でも構わない。
【符号の説明】
【００３５】
１，１ａ，１ｂ  祝儀袋
２，２ａ，２ｂ  袋本体
１０，１０ａ，１０ｂ  第１シール
１１，１１ａ，１１ｂ  情報表示部
１２，１２ａ，１２ｂ  情報
２０，２０ａ，２０ｂ  第２シール
２１，２１ａ，２１ｂ  切込線
２２，２２ａ，２２ｂ  剥離を促すメッセージ
【図１】
0003225796.tif 000003
【図２】
0003225796.tif 000004
【図３】
0003225796.tif 000005
【図４】
0003225796.tif 000006
【図５】
0003225796.tif 000007
【図６】
0003225796.tif 000008
【図７】
0003225796.tif 000009